【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
第１のユーザと１人以上の第２のユーザとが対話可能なチャットルームを提供する手段と、
連携アプリケーションを介して、前記第１のユーザが送信または共有するデータを選択すると、当該第１のユーザと前記第２のユーザとの間のソーシャルグラフに基づいて、当該データの送信または共有の対象として選択可能な前記第２のユーザを前記連携アプリケーションにおいて当該第１のユーザに選択させるインターフェイスを提供する手段と、
前記送信または共有の対象として選択されたデータを、当該データの送信または共有の対象として選択された前記第２のユーザに送信または共有する手段と、
前記選択されたデータを送信または共有すると、前記送信または共有の対象として選択された前記第２のユーザと前記第１のユーザとが対話可能な前記チャットルームにおいて、前記第１のユーザが当該データを送信または共有したことに対応する通知を表示する手段と、
を備える情報処理装置。
【請求項２】
前記チャットルームに表示された前記通知に応じた前記第２のユーザからの入力に応じて、前記送信または共有されたデータを、前記連携アプリケーションを介して当該第２のユーザに提供する手段をさらに備える、請求項１に記載の情報処理装置。
【請求項３】
前記選択されるデータは、前記第２のユーザと共有されるデータであり、
前記選択した第２のユーザによって共有された前記データは、当該第２のユーザによって前記連携アプリケーションを用いた修正が可能であり、修正された後においても共有される、請求項１または請求項２に記載の情報処理装置。
【請求項４】
前記第１のユーザと前記第２のユーザとは、前記ソーシャルグラフに基づいて友だちとして設定されている、請求項１乃至請求項３のいずれかに記載の情報処理装置。
【請求項５】
前記第１のユーザが前記連携アプリケーションを利用するときに、当該第１のユーザの同意を求め、当該同意によって自動的に前記第１のユーザの認証処理をして当該連携アプリケーションを連携させる手段をさらに備える、請求項１乃至請求項４のいずれかに記載の情報処理装置。
【請求項６】
第１のユーザと１人以上の第２のユーザとが対話可能なチャットルームを提供する情報処理装置によって実行される方法であって、
連携アプリケーションを介して、前記第１のユーザが送信または共有するデータを選択すると、当該第１のユーザと前記第２のユーザとの間のソーシャルグラフに基づいて、当該データの送信または共有の対象として選択可能な前記第２のユーザを前記連携アプリケーションにおいて当該第１のユーザに選択させるインターフェイスを提供し、
前記送信または共有の対象として選択されたデータを、当該データの送信または共有の対象として選択された前記第２のユーザに送信または共有し、
前記選択されたデータを送信または共有すると、前記送信または共有の対象として選択された前記第２のユーザと前記第１のユーザとが対話可能な前記チャットルームにおいて、前記第１のユーザが当該データを送信または共有したことに対応する通知を表示する、
ことを含む情報処理装置によって実行される方法。
【請求項７】
前記チャットルームに表示された前記通知に応じた前記第２のユーザからの入力に応じて、前記送信または共有されたデータを、前記連携アプリケーションを介して当該第２のユーザに提供することをさらに含む、請求項６に記載の情報処理装置によって実行される方法。
【請求項８】
前記選択されるデータは、前記第２のユーザと共有されるデータであり、
前記選択した第２のユーザによって共有された前記データは、当該第２のユーザによって前記連携アプリケーションを用いた修正が可能であり、修正された後においても共有される、請求項６または請求項７に記載の情報処理装置によって実行される方法。
【請求項９】
前記第１のユーザと前記第２のユーザとは、前記ソーシャルグラフに基づいて友だちとして設定されている、請求項６乃至請求項８のいずれかに記載の情報処理装置によって実行される方法。
【請求項１０】
前記第１のユーザが前記連携アプリケーションを利用するときに、当該第１のユーザの同意を求め、当該同意によって自動的に前記第１のユーザの認証処理をして当該連携アプリケーションを連携させることをさらに含む、請求項６乃至請求項９のいずれかに記載の情報処理装置によって実行される方法。
【請求項１１】
コンピュータを、
第１のユーザと１人以上の第２のユーザとが対話可能なチャットルームを提供する手段と、
連携アプリケーションを介して、前記第１のユーザが送信または共有するデータを選択すると、当該第１のユーザと前記第２のユーザとの間のソーシャルグラフに基づいて、当該データの送信または共有の対象として選択可能な前記第２のユーザを前記連携アプリケーションにおいて当該第１のユーザに選択させるインターフェイスを提供する手段と、
前記送信または共有の対象として選択されたデータを、当該データの送信または共有の対象として選択された前記第２のユーザに送信または共有する手段と、
前記選択されたデータを送信または共有すると、前記送信または共有の対象として選択された前記第２のユーザと前記第１のユーザとが対話可能な前記チャットルームにおいて、前記第１のユーザが当該データを送信または共有したことに対応する通知を表示する手段として機能させるためのプログラム。
【手続補正２】
【補正対象書類名】明細書
【補正対象項目名】０００７
【補正方法】変更
【補正の内容】
【０００７】
本発明の一実施形態によると、第１のユーザと１人以上の第２のユーザとが対話可能なチャットルームを提供する手段と、連携アプリケーションを介して、前記第１のユーザが送信または共有するデータを選択すると、当該第１のユーザと前記第２のユーザとの間のソーシャルグラフに基づいて、当該データの送信または共有の対象として選択可能な前記第２のユーザを前記連携アプリケーションにおいて当該第１のユーザに選択させるインターフェイスを提供する手段と、前記送信または共有の対象として選択されたデータを、当該データの送信または共有の対象として選択された前記第２のユーザに送信または共有する手段と、前記選択されたデータを送信または共有すると、前記送信または共有の対象として選択された前記第２のユーザと前記第１のユーザとが対話可能な前記チャットルームにおいて、前記第１のユーザが当該データを送信または共有したことに対応する通知を表示する手段と、を備える情報処理装置が提供される。
【手続補正３】
【補正対象書類名】明細書
【補正対象項目名】０００８
【補正方法】変更
【補正の内容】
【０００８】
また、別の好ましい態様において、前記選択部によって選択されるデータは、前記友だちと共有しようとするデータであり、前記選択した友だちによって共有される前記データは、当該友だちによって前記メッセンジャー連携アプリケーションを用いた修正が可能であり、修正された後においても当該友だちによって共有される。また、前記選択されるデータは、前記第２のユーザと共有されるデータであり、前記選択した第２のユーザによって共有された前記データは、当該第２のユーザによって前記連携アプリケーションを用いた修正が可能であり、修正された後においても共有されてもよい。また、前記第１のユーザと前記第２のユーザとは、前記ソーシャルグラフに基づいて友だちとして設定されてもよい。また、前記第１のユーザが前記連携アプリケーションを利用するときに、当該第１のユーザの同意を求め、当該同意によって自動的に前記第１のユーザの認証処理をして当該連携アプリケーションを連携させる手段をさらに備えてもよい。
【手続補正４】
【補正対象書類名】明細書
【補正対象項目名】０００９
【補正方法】変更
【補正の内容】
【０００９】
また、本発明の一実施形態によると、第１のユーザと１人以上の第２のユーザとが対話可能なチャットルームを提供する情報処理装置によって実行される方法であって、連携アプリケーションを介して、前記第１のユーザが送信または共有するデータを選択すると、当該第１のユーザと前記第２のユーザとの間のソーシャルグラフに基づいて、当該データの送信または共有の対象として選択可能な前記第２のユーザを前記連携アプリケーションにおいて当該第１のユーザに選択させるインターフェイスを提供し、前記送信または共有の対象として選択されたデータを、当該データの送信または共有の対象として選択された前記第２のユーザに送信または共有し、前記選択されたデータを送信または共有すると、前記送信または共有の対象として選択された前記第２のユーザと前記第１のユーザとが対話可能な前記チャットルームにおいて、前記第１のユーザが当該データを送信または共有したことに対応する通知を表示する、ことを含む情報処理装置によって実行される方法が提供される。
【手続補正５】
【補正対象書類名】明細書
【補正対象項目名】００１０
【補正方法】変更
【補正の内容】
【００１０】
また、別の好ましい態様において、前記チャットルームに表示された前記通知に応じた前記第２のユーザからの入力に応じて、前記送信または共有されたデータを、前記連携アプリケーションを介して当該第２のユーザに提供することをさらに含んでもよい。また、前記選択されるデータは、前記第２のユーザと共有されるデータであり、前記選択した第２のユーザによって共有された前記データは、当該第２のユーザによって前記連携アプリケーションを用いた修正が可能であり、修正された後においても共有されてもよい。また、前記第１のユーザと前記第２のユーザとは、前記ソーシャルグラフに基づいて友だちとして設定されてもよい。また、前記第１のユーザが前記連携アプリケーションを利用するときに、当該第１のユーザの同意を求め、当該同意によって自動的に前記第１のユーザの認証処理をして当該連携アプリケーションを連携させてもよい。
【手続補正６】
【補正対象書類名】明細書
【補正対象項目名】００１１
【補正方法】変更
【補正の内容】
【００１１】
また、本発明の一実施形態によると、コンピュータを、第１のユーザと１人以上の第２のユーザとが対話可能なチャットルームを提供する手段と、連携アプリケーションを介して、前記第１のユーザが送信または共有するデータを選択すると、当該第１のユーザと前記第２のユーザとの間のソーシャルグラフに基づいて、当該データの送信または共有の対象として選択可能な前記第２のユーザを前記連携アプリケーションにおいて当該第１のユーザに選択させるインターフェイスを提供する手段と、前記送信または共有の対象として選択されたデータを、当該データの送信または共有の対象として選択された前記第２のユーザに送信または共有する手段と、前記選択されたデータを送信または共有すると、前記送信または共有の対象として選択された前記第２のユーザと前記第１のユーザとが対話可能な前記チャットルームにおいて、前記第１のユーザが当該データを送信または共有したことに対応する通知を表示する手段として機能させるためのプログラムが提供される。
【手続補正７】
【補正対象書類名】明細書
【補正対象項目名】発明の名称
【補正方法】変更
【補正の内容】
【発明の名称】情報処理装置、方法およびプログラム